(57)【要約】本発明は、支援型位置決定方法及び装置に係る。ユーザ機器はＷｉｎｄｏｗｓ（登録商標）８システムを実行し、ユーザ機器は、Ａ−ＧＰＳ機能を備えたＧＰＳ装置へ接続される。支援型位置決定方法は、ＧＰＳ装置がＧＰＳ機能を有効にすることをユーザ機器によって検出するステップと、ＧＰＳ装置にＡ−ＧＰＳ機能を有効にするよう指示するために使用されるＡ−ＧＰＳ指示メッセージをＧＰＳ装置へユーザ機器によって送信するステップと、ＧＰＳ機能及びＡ−ＧＰＳ機能を使用することでＧＰＳ装置によって取得されるポジショニング情報をＧＰＳ装置からユーザ機器によって受信するステップとを有する。
2016502673.tif 000002
【特許請求の範囲】
【請求項１】
支援型グローバルポジショニングシステムＡ−ＧＰＳ機能を備えたグローバルポジショニングシステムＧＰＳ装置へ接続されているユーザ機器がＷｉｎｄｏｗｓ８システムを実行する支援型位置決定方法であって、
当該方法は、
前記ＧＰＳ装置がＧＰＳ機能を有効にすることを前記ユーザ機器によって検出するステップと、
前記ＧＰＳ装置に前記Ａ−ＧＰＳ機能を有効にするよう指示するために使用されるＡ−ＧＰＳ指示メッセージを前記ＧＰＳ装置へ前記ユーザ機器によって送信するステップと、
前記ＧＰＳ機能及び前記Ａ−ＧＰＳ機能を使用することで前記ＧＰＳ装置によって取得されるポジショニング情報を前記ＧＰＳ装置から前記ユーザ機器によって受信するステップと
を有する、方法。
【請求項２】
当該方法は、
前記Ａ−ＧＰＳ指示メッセージを前記ＧＰＳ装置へ前記ユーザ機器によって送信するステップの後、前記Ａ−ＧＰＳ機能を実施するために前記ＧＰＳ装置によって使用されるネットワーク接続を確立するよう、前記ＧＰＳ装置の通知に従って前記ユーザ機器によってダイアルアップ接続するステップ
を更に有する、請求項１に記載の方法。
【請求項３】
当該方法は、
前記Ａ−ＧＰＳ機能を実施するために前記ＧＰＳ装置によって使用されるＡ−ＧＰＳ設定パラメータ情報を前記ＧＰＳ装置へ前記ユーザ機器によって送信するステップ
を更に有する、請求項１又は２に記載の方法。
【請求項４】
Ｗｉｎｄｏｗｓ８システムを実行するユーザ機器へ接続されているＧＰＳ装置が支援型グローバルポジショニングシステムＡ−ＧＰＳ機能を備える支援型位置決定方法であって、
当該方法は、
ＧＰＳ機能を前記ＧＰＳ装置によって有効にするステップと、
Ａ−ＧＰＳ指示メッセージを前記ユーザ機器から前記ＧＰＳ装置によって取得するステップと、
前記Ａ−ＧＰＳ指示メッセージに従って前記Ａ−ＧＰＳ機能を前記ＧＰＳ装置によって有効にするステップと、
前記ＧＰＳ機能及び前記Ａ−ＧＰＳ機能を使用することでポジショニング情報を前記ＧＰＳ装置によって取得するステップと、
前記ポジショニング情報を前記ユーザ機器へ前記ＧＰＳ装置によって送信するステップと
を有する、方法。
【請求項５】
前記Ａ−ＧＰＳ機能を前記ＧＰＳ装置によって有効にするステップの前に、当該方法は、
現在のネットワーク接続状態を前記ＧＰＳ装置によって決定し、該ＧＰＳ装置がネットワークへ接続されていない場合は、前記Ａ−ＧＰＳ機能を実施するために前記ＧＰＳ装置によって使用されるネットワーク接続を確立するよう、前記ＧＰＳ装置によってダイアルアップ接続するステップ
を更に有する、請求項４に記載の方法。
【請求項６】
前記Ａ−ＧＰＳ機能を前記ＧＰＳ装置によって有効にするステップの前に、当該方法は、
現在のネットワーク接続状態を前記ＧＰＳ装置によって決定し、該ＧＰＳ装置がネットワークへ接続されていない場合は、前記Ａ−ＧＰＳ機能を実施するために前記ＧＰＳ装置によって使用されるネットワーク接続を確立するよう、前記ＧＰＳ装置によって、前記ユーザ機器にダイアルアップ接続するように指示するステップ
を更に有する、請求項４に記載の方法。
【請求項７】
当該方法は、
前記Ａ−ＧＰＳ機能を実施するために前記ＧＰＳ装置によって使用される、前記ユーザ機器によって送信されたＡ−ＧＰＳ設定パラメータ情報を受信するステップ
を更に有する、請求項４乃至６のうちいずれか一項に記載の方法。
【請求項８】
支援型グローバルポジショニングシステムＡ−ＧＰＳ機能を備えたグローバルポジショニングシステムＧＰＳ装置へ接続され、Ｗｉｎｄｏｗｓ８システムを実行するユーザ機器であって、
当該ユーザ機器は、
前記ＧＰＳ装置がＧＰＳ機能を有効にすることを検出するよう構成される検出ユニットと、
前記ＧＰＳ装置に前記Ａ−ＧＰＳ機能を有効にするよう指示するために使用されるＡ−ＧＰＳ指示メッセージを前記ＧＰＳ装置へ送信するよう構成される送信ユニットと、
前記ＧＰＳ機能及び前記Ａ−ＧＰＳ機能を使用することで前記ＧＰＳ装置によって取得されるポジショニング情報を前記ＧＰＳ装置から受信するよう構成される受信ユニットと
を有するユーザ機器。
【請求項９】
当該ユーザ機器は、
当該ユーザ機器が前記Ａ−ＧＰＳ指示メッセージを前記ＧＰＳ装置へ送信した後に、前記Ａ−ＧＰＳ機能を実施するために前記ＧＰＳ装置によって使用されるネットワーク接続を確立するよう、前記ＧＰＳ装置の通知に従ってダイアルアップ接続するよう構成される構築ユニット
を更に有する、請求項８に記載のユーザ機器。
【請求項１０】
前記送信ユニットは更に、前記Ａ−ＧＰＳ機能を実施するために前記ＧＰＳ装置によって使用されるＡ−ＧＰＳ設定パラメータ情報を前記ＧＰＳ装置へ送信するよう構成される、
請求項８又は９に記載のユーザ機器。
【請求項１１】
Ｗｉｎｄｏｗｓ８システムを実行するユーザ機器へ接続され、支援型グローバルポジショニングシステムＡ−ＧＰＳ機能を備えるグローバルポジショニングシステムＧＰＳ装置であって、
当該ＧＰＳ装置は、
ＧＰＳ機能を有効にするよう構成される第１の許可ユニットと、
Ａ−ＧＰＳ指示メッセージを前記ユーザ機器から取得するよう構成される第１の取得ユニットと、
前記Ａ−ＧＰＳ指示メッセージに従って前記Ａ−ＧＰＳ機能を有効にするよう構成される第２の許可ユニットと、
前記ＧＰＳ機能及び前記Ａ−ＧＰＳ機能を使用することでポジショニング情報を取得するよう構成される第２の取得ユニットと、
前記ポジショニング情報を前記ユーザ機器へ送信するよう構成される送信ユニットと
を有する、ＧＰＳ装置。
【請求項１２】
当該ＧＰＳ装置は、
前記Ａ−ＧＰＳ機能が有効にされる前に、現在のネットワーク接続状態を決定し、当該ＧＰＳ装置がネットワークへ接続されていない場合は、前記Ａ−ＧＰＳ機能を実施するために当該ＧＰＳ装置によって使用されるネットワーク接続を確立するようにダイアルアップ接続するよう構成される構築ユニット
を更に有する、請求項１１に記載のＧＰＳ装置。
【請求項１３】
当該ＧＰＳ装置は、
当該ＧＰＳ装置が前記Ａ−ＧＰＳ機能を有効にする前に、現在のネットワーク接続状態を決定し、当該ＧＰＳ装置がネットワークへ接続されていない場合は、前記Ａ−ＧＰＳ機能を実施するために当該ＧＰＳ装置によって使用されるネットワーク接続を確立するよう、前記ユーザ機器にダイアルアップ接続するように指示するよう構成される指示ユニット
を更に有する、請求項１１に記載のＧＰＳ装置。
【請求項１４】
当該ＧＰＳ装置は、
前記Ａ−ＧＰＳ機能を実施するために当該ＧＰＳ装置によって使用される、前記ユーザ機器によって送信されたＡ−ＧＰＳ設定パラメータ情報を受信するよう構成される受信ユニット
を更に有する、請求項１１乃至１３のうちいずれか一項に記載のＧＰＳ装置。
【発明の詳細な説明】
【技術分野】
【０００１】
本発明は、位置決定技術の分野に係り、特に、支援型位置決定方法及び装置に係る。
【背景技術】
【０００２】
現在、支援型グローバルポジショニングシステム（Ａｓｓｉｓｔｅｄ  Ｇｌｏｂａｌ  Ｐｏｓｉｔｉｏｎｉｎｇ  Ｓｙｓｔｅｍ，Ａ−ＧＰＳ）は幅広く使用されている。しかしながら、ユーザ機器におけるＷｉｎ８システムの適用に伴い、Ａ−ＧＰＳの適用はある程度制限される。
【０００３】
ユーザ機器は、ＧＰＳ装置に、ユーザがＡ−ＧＰＳ機能を有効にするよう手動により選択した後にのみＷｉｎｄｏｗｓ８システムにおいてＡ−ＧＰＳ機能を有効にするよう指示することができる。さもなければ、ＧＰＳ装置は、グローバルポジショニングシステム（Ｇｌｏｂａｌ  Ｐｏｓｉｔｉｏｎｉｎｇ  Ｓｙｓｔｅｍ，ＧＰＳ）ＧＰＳ機能しか有効にすることができず、Ａ−ＧＰＳ機能を有効にすることができず、それにより位置決定精度は低下する。
【発明の概要】
【発明が解決しようとする課題】
【０００４】
これを考慮して、本発明は、ＧＰＳ装置がＧＰＳ機能を有効にするときにＧＰＳ機能及びＡ−ＧＰＳ機能を同時に使用することができるように支援型位置決定方法及び装置を提供し、それにより位置決定精度を改善する。
【課題を解決するための手段】
【０００５】
第１の態様に従って、本発明の実施形態は、支援型グローバルポジショニングシステムＡ−ＧＰＳ機能を備えたグローバルポジショニングシステムＧＰＳ装置へ接続されているユーザ機器がＷｉｎｄｏｗｓ８システムを実行する支援型位置決定方法であって、
当該方法は、
前記ＧＰＳ装置がＧＰＳ機能を有効にすることを前記ユーザ機器によって検出するステップと、
前記ＧＰＳ装置に前記Ａ−ＧＰＳ機能を有効にするよう指示するために使用されるＡ−ＧＰＳ指示メッセージを前記ＧＰＳ装置へ前記ユーザ機器によって送信するステップと、
前記ＧＰＳ機能及び前記Ａ−ＧＰＳ機能を使用することで前記ＧＰＳ装置によって取得されるポジショニング情報を前記ＧＰＳ装置から前記ユーザ機器によって受信するステップと
を有する、方法を提供する。
【０００６】
第１の態様の第１のとり得る実施様態において、当該方法は、
前記Ａ−ＧＰＳ指示メッセージを前記ＧＰＳ装置へ前記ユーザ機器によって送信するステップの後、前記Ａ−ＧＰＳ機能を実施するために前記ＧＰＳ装置によって使用されるネットワーク接続を確立するよう、前記ＧＰＳ装置の通知に従って前記ユーザ機器によってダイアルアップ接続するステップ
を更に有する。
【０００７】
第１の態様、又は第１の態様の第１のとり得る実施様態を参照して、第２のとり得る実施様態において、当該方法は、
前記Ａ−ＧＰＳ機能を実施するために前記ＧＰＳ装置によって使用されるＡ−ＧＰＳ設定パラメータ情報を前記ＧＰＳ装置へ前記ユーザ機器によって送信するステップ
を更に有する。
【０００８】
第２の態様に従って、本発明の実施形態は、Ｗｉｎｄｏｗｓ８システムを実行するユーザ機器へ接続されているＧＰＳ装置が支援型グローバルポジショニングシステムＡ−ＧＰＳ機能を備える支援型位置決定方法であって、
当該方法は、
ＧＰＳ機能を前記ＧＰＳ装置によって有効にするステップと、
Ａ−ＧＰＳ指示メッセージを前記ユーザ機器から前記ＧＰＳ装置によって取得するステップと、
前記Ａ−ＧＰＳ指示メッセージに従って前記Ａ−ＧＰＳ機能を前記ＧＰＳ装置によって有効にするステップと、
前記ＧＰＳ機能及び前記Ａ−ＧＰＳ機能を使用することでポジショニング情報を前記ＧＰＳ装置によって取得するステップと、
前記ポジショニング情報を前記ユーザ機器へ前記ＧＰＳ装置によって送信するステップと
を有する、方法を提供する。
【０００９】
第２の態様の第１のとり得る実施様態において、前記Ａ−ＧＰＳ機能を前記ＧＰＳ装置によって有効にするステップの前に、当該方法は、現在のネットワーク接続状態を前記ＧＰＳ装置によって決定し、該ＧＰＳ装置がネットワークへ接続されていない場合は、前記Ａ−ＧＰＳ機能を実施するために前記ＧＰＳ装置によって使用されるネットワーク接続を確立するよう、前記ＧＰＳ装置によってダイアルアップ接続するステップ
を更に有する。
【００１０】
第２の態様の第２のとり得る実施様態において、前記Ａ−ＧＰＳ機能を前記ＧＰＳ装置によって有効にするステップの前に、当該方法は、現在のネットワーク接続状態を前記ＧＰＳ装置によって決定し、該ＧＰＳ装置がネットワークへ接続されていない場合は、前記Ａ−ＧＰＳ機能を実施するために前記ＧＰＳ装置によって使用されるネットワーク接続を確立するよう、前記ＧＰＳ装置によって、前記ユーザ機器にダイアルアップ接続するように指示するステップ
を更に有する。
【００１１】
第２の態様、第２の態様の第１のとり得る実施様態、又は第２の態様の第２のとり得る実施様態を参照して、第３のとり得る実施様態において、当該方法は、
前記Ａ−ＧＰＳ機能を実施するために前記ＧＰＳ装置によって使用される、前記ユーザ機器によって送信されたＡ−ＧＰＳ設定パラメータ情報を受信するステップ
を更に有する。
【００１２】
第３の態様に従って、本発明の実施形態は、支援型グローバルポジショニングシステムＡ−ＧＰＳ機能を備えたグローバルポジショニングシステムＧＰＳ装置へ接続され、Ｗｉｎｄｏｗｓ８システムを実行するユーザ機器であって、
当該ユーザ機器は、
前記ＧＰＳ装置がＧＰＳ機能を有効にすることを検出するよう構成される検出ユニットと、
前記ＧＰＳ装置に前記Ａ−ＧＰＳ機能を有効にするよう指示するために使用されるＡ−ＧＰＳ指示メッセージを前記ＧＰＳ装置へ送信するよう構成される送信ユニットと、
前記ＧＰＳ機能及び前記Ａ−ＧＰＳ機能を使用することで前記ＧＰＳ装置によって取得されるポジショニング情報を前記ＧＰＳ装置から受信するよう構成される受信ユニットと
を有するユーザ機器を提供する。
【００１３】
第３の態様の第１のとり得る実施様態において、当該ユーザ機器は、
当該ユーザ機器が前記Ａ−ＧＰＳ指示メッセージを前記ＧＰＳ装置へ送信した後に、前記Ａ−ＧＰＳ機能を実施するために前記ＧＰＳ装置によって使用されるネットワーク接続を確立するよう、前記ＧＰＳ装置の通知に従ってダイアルアップ接続するよう構成される構築ユニット
を更に有する。
【００１４】
第３の態様、又は第３の態様の第１のとり得る実施様態を参照して、第２のとり得る実施様態において、前記送信ユニットは更に、前記Ａ−ＧＰＳ機能を実施するために前記ＧＰＳ装置によって使用されるＡ−ＧＰＳ設定パラメータ情報を前記ＧＰＳ装置へ送信するよう構成される。
【００１５】
第４の態様に従って、本発明の実施形態は、Ｗｉｎｄｏｗｓ８システムを実行するユーザ機器へ接続され、支援型グローバルポジショニングシステムＡ−ＧＰＳ機能を備えるグローバルポジショニングシステムＧＰＳ装置であって、
当該ＧＰＳ装置は、
ＧＰＳ機能を有効にするよう構成される第１の許可ユニットと、
Ａ−ＧＰＳ指示メッセージを前記ユーザ機器から取得するよう構成される第１の取得ユニットと、
前記Ａ−ＧＰＳ指示メッセージに従って前記Ａ−ＧＰＳ機能を有効にするよう構成される第２の許可ユニットと、
前記ＧＰＳ機能及び前記Ａ−ＧＰＳ機能を使用することでポジショニング情報を取得するよう構成される第２の取得ユニットと、
前記ポジショニング情報を前記ユーザ機器へ送信するよう構成される送信ユニットと
を有する、ＧＰＳ装置を提供する。
【００１６】
第４の態様の第１のとり得る実施様態において、当該ＧＰＳ装置は、
前記Ａ−ＧＰＳ機能が有効にされる前に、現在のネットワーク接続状態を決定し、当該ＧＰＳ装置がネットワークへ接続されていない場合は、前記Ａ−ＧＰＳ機能を実施するために当該ＧＰＳ装置によって使用されるネットワーク接続を確立するようダイアルアップ接続するよう構成される構築ユニット
を更に有する。
【００１７】
第４の態様の第２のとり得る実施様態において、当該ＧＰＳ装置は、
当該ＧＰＳ装置が前記Ａ−ＧＰＳ機能を有効にする前に、現在のネットワーク接続状態を決定し、当該ＧＰＳ装置がネットワークへ接続されていない場合は、前記Ａ−ＧＰＳ機能を実施するために当該ＧＰＳ装置によって使用されるネットワーク接続を確立するよう、前記ユーザ機器にダイアルアップ接続するように指示するよう構成される指示ユニット
を更に有する。
【００１８】
第４の態様、第４の態様の第１のとり得る実施様態、又は第４の態様の第２のとり得る実施様態を参照して、第３のとり得る実施様態において、当該ＧＰＳ装置は、
前記Ａ−ＧＰＳ機能を実施するために当該ＧＰＳ装置によって使用される、前記ユーザ機器によって送信されたＡ−ＧＰＳ設定パラメータ情報を受信するよう構成される受信ユニット
を更に有する。
【００１９】
前述の解決法に従って、ＧＰＳ装置がＧＰＳ機能を有効にする場合に、Ｗｉｎｄｏｗｓ８システムを実行するユーザ機器は積極的にＡ−ＧＰＳ指示メッセージをＧＰＳ装置へ送信して、ＧＰＳ装置がＧＰＳ機能及びＡ−ＧＰＳ機能を同時に使用するようにし、それにより位置決定精度を改善する。
【図面の簡単な説明】
【００２０】
【図１】本発明の実施形態１に従う支援型位置決定方法の概略フローチャートである。
【００２１】
【図２】本発明の実施形態２に従う支援型位置決定方法の概略フローチャートである。
【００２２】
【図３】本発明の実施形態３に従うユーザ機器の概略構造図である。
【００２３】
【図４】本発明の実施形態３に従う他のユーザ機器の概略構造図である。
【００２４】
【図５】本発明の実施形態４に従うＧＰＳ装置の概略構造図である。
【００２５】
【図６】本発明の実施形態４に従う他のＧＰＳ装置の概略構造図である。
【００２６】
【図７】本発明の実施形態４に従う更なる他のＧＰＳ装置の概略構造図である。
【００２７】
【図８】本発明の実施形態４に従う更なる他のＧＰＳ装置の概略構造図である。
【発明を実施するための形態】
【００２８】
本発明の目的、技術的解決法、及び利点をより明らかにするよう、以下は、添付の図面を参照して詳細に本発明を更に記載する。明らかに、記載されている実施形態は、本発明の実施形態の全てというよりむしろ、一部に過ぎない。創造的な取り組みによらずに本発明の実施形態に基づき当業者によって取得される全ての他の実施形態は、本発明の保護範囲内にあるべきである。
【００２９】
本発明の実施形態１おいて提供される支援型位置決定方法は、一例として図１を用いることで以下で詳細に記載される。図１は、本発明の実施形態１に従う支援型位置決定方法の概略フローチャートである。支援型位置決定方法はユーザ機器によって実行され、ユーザ機器はＷｉｎｄｏｗｓ８システムを実行し、そして、ユーザ機器は、Ａ−ＧＰＳ機能を備えたＧＰＳ装置へ接続されている。
【００３０】
図１に示されるように、支援型位置決定方法は次のステップを含む：
【００３１】
ステップＳ１０１：ユーザ機器は、ＧＰＳ装置がＧＰＳ機能を有効にすることを検出する。
【００３２】
ユーザ機器は、ＧＰＳ装置がＧＰＳ機能を有効にするかどうかを検出し、そして、ユーザ機器が、検出後に、ＧＰＳ装置がＧＰＳ機能を有効にすると決定する場合は、ユーザ機器はステップＳ１０２を実行する。
【００３３】
ステップＳ１０２：ユーザ機器はＡ−ＧＰＳ指示メッセージをＧＰＳ装置へ送信する。このとき、Ａ−ＧＰＳ指示メッセージは、ＧＰＳ装置にＡ−ＧＰＳ機能を有効にするよう指示するために使用される。
【００３４】
ＧＰＳ装置はＡ−ＧＰＳ機能を備えるので、より正確なポジショニング情報を取得するよう、ＧＰＳ装置がＧＰＳ機能を有効にすると決定した後、ユーザ機器は、ＧＰＳ装置にＡ−ＧＰＳ機能を有効にするよう指示するために、Ａ−ＧＰＳ指示メッセージをＧＰＳ装置へ送信する。
【００３５】
任意に、ユーザ機器がＡ−ＧＰＳ指示メッセージをＧＰＳ装置へ送信した後、ユーザ機器は、ネットワーク接続を確立するよう、ＧＰＳ装置の通知に従ってダイアルアップ接続する。このとき、ネットワーク接続は、Ａ−ＧＰＳ機能を実施するためにＧＰＳ装置によって使用される。
【００３６】
ステップＳ１０３：ユーザ機器は、ポジショニング情報をＧＰＳ装置から受信する。このとき、ポジショニング情報は、ＧＰＳ機能及びＡ−ＧＰＳ機能を使用することでＧＰＳ装置によって取得される。
【００３７】
任意に、支援型位置決定方法は、Ａ−ＧＰＳ機能を実施するためにＧＰＳ装置によって使用されるＡ−ＧＰＳ設定パラメータ情報をＧＰＳ装置へユーザ機器によって送信することを更に含んでよい。
【００３８】
Ａ−ＧＰＳ設定パラメータ情報は、次の情報：ユーザ機器の現在のインターネットプロトコルアドレス（Ｉｎｔｅｒｎｅｔ  Ｐｒｏｔｏｃｏｌ，ＩＰ）、ユーザ機器が位置付けられているセルに関する情報、及び現在ユーザ機器にサービスを提供している基地局に関する情報を含んでよい。
【００３９】
本発明の実施形態１において提供される支援型位置決定方法に従って、ＧＰＳ装置がＧＰＳ機能を有効にする場合に、Ｗｉｎｄｏｗｓ８システムを実行するユーザ機器は積極的にＡ−ＧＰＳ指示メッセージをＧＰＳ装置へ送信して、ＧＰＳ装置がＧＰＳ機能及びＡ−ＧＰＳ機能を同時に使用するようにし、それにより位置決定精度を改善する。
【００４０】
本発明の実施形態２において提供される支援型位置決定方法は、一例として図２を用いることで以下で詳細に記載される。図２は、本発明の実施形態２に従う支援型位置決定方法の概略フローチャートである。支援型位置決定方法は、Ａ−ＧＰＳ機能を備えたＧＰＳ装置によって実行され、そして、Ｗｉｎｄｏｗｓ８システムを実行するユーザ機器が、Ａ−ＧＰＳ機能を備えたＧＰＳ装置へ接続されている。
【００４１】
ステップＳ２０１：ＧＰＳ装置はＧＰＳ機能を有効にする。
【００４２】
ステップＳ２０２：ＧＰＳ装置は、Ａ−ＧＰＳ指示メッセージをユーザ機器から取得する。
【００４３】
ＧＰＳ装置がＧＰＳ機能を有効にした後、ユーザ機器は、ＧＰＳ装置がＧＰＳ機能を有効にしたことを検出を通じて見つけることができる。ＧＰＳ装置はＡ−ＧＰＳ機能を備えるので、より正確なポジショニング情報を取得するよう、ＧＰＳ装置がＧＰＳ機能を有効にすると決定した後、ユーザ機器は、ＧＰＳ装置にＡ−ＧＰＳ機能を有効にするよう指示するために、Ａ−ＧＰＳ指示メッセージをＧＰＳ装置へ送信する。
【００４４】
ステップＳ２０３：ＧＰＳ装置は、Ａ−ＧＰＳ指示メッセージに従ってＡ−ＧＰＳ機能を有効にする。
【００４５】
Ａ−ＧＰＳ機能は、ネットワーク接続が確立される場合にのみ有効にされ得るので、ＧＰＳ装置がＡ−ＧＰＳ機能を有効にする前に、方法は：
現在のネットワーク接続状態をＧＰＳ装置によって決定し、ＧＰＳ装置がネットワークへ接続されていない場合は、Ａ−ＧＰＳ機能を実施するためにＧＰＳ装置によって使用されるネットワーク接続を確立するよう、ＧＰＳ装置によってダイアルアップ接続すること
を更に含む。
【００４６】
代替的に、ＧＰＳ装置がＡ−ＧＰＳ機能を有効にする前に、方法は：
現在のネットワーク接続状態をＧＰＳ装置によって決定し、ＧＰＳ装置がネットワークへ接続されていない場合は、Ａ−ＧＰＳ機能を実施するためにＧＰＳ装置によって使用されるネットワーク接続を確立するよう、ＧＰＳ装置によって、ユーザ機器にダイアルアップ接続するように指示すること
を更に含む。
【００４７】
ステップＳ２０４：ＧＰＳ装置は、ＧＰＳ機能及びＡ−ＧＰＳ機能を使用することでポジショニング情報を取得する。
【００４８】
任意に、支援型位置決定方法は、Ａ−ＧＰＳ機能を実施するためにＧＰＳ装置によって使用される、ユーザ機器によって送信されたＡ−ＧＰＳ設定パラメータ情報を受信することを更に含む。
【００４９】
Ａ−ＧＰＳ設定パラメータ情報は、次の情報：ユーザ機器の現在のＩＰアドレス、ユーザ機器が位置付けられているセルに関する情報、及び現在ユーザ機器にサービスを提供している基地局に関する情報を含んでよい。
【００５０】
ステップＳ２０５：ＧＰＳ装置はポジショニング情報をユーザ機器へ送信する。
【００５１】
ポジショニング情報を受信した後、ユーザ機器は、正確なポジショニング情報をユーザに提供するよう、ユーザインターフェースにおいてポジショニング情報を表示する。
【００５２】
本発明の実施形態２において提供される支援型位置決定方法に従って、ＧＰＳ装置がＧＰＳ機能を有効にする場合に、Ｗｉｎｄｏｗｓ８システムを実行するユーザ機器によって積極的に送信されたＡ−ＧＰＳ指示メッセージを受信することで、ＧＰＳ装置は、ＧＰＳ機能を有効にするときにＧＰＳ機能及びＡ−ＧＰＳ機能を同時に使用することができ、それにより位置決定精度を改善する。
【００５３】
具体的な例において、ユーザ機器はＷｉｎｄｏｗｓ８システムを実行し、そして、ユーザ機器は、Ａ−ＧＰＳ機能を備えたＧＰＳ装置へ接続されている。
【００５４】
ユーザ機器は、ＧＰＳ装置がＧＰＳ機能を有効にするかどうかを検出し、そして、ユーザ機器が、検出後に、ＧＰＳ装置がＧＰＳ機能を有効にすると決定する場合は、ＧＰＳ装置はＡ−ＧＰＳ機能を備えるので、より正確なポジショニング情報を取得するよう、ＧＰＳ装置がＧＰＳ機能を有効にすると決定した後、ユーザ機器は、ＧＰＳ装置にＡ−ＧＰＳ機能を有効にするよう指示するために、Ａ−ＧＰＳ指示メッセージをＧＰＳ装置のＧＰＳプロトコルスタックへ送信する。
【００５５】
Ａ−ＧＰＳ指示メッセージを受信した後、ＧＰＳ装置のＧＰＳプロトコルスタックは最初に、パケットデータプロトコル（Ｐａｃｋｅｔ  Ｄａｔａ  Ｐｒｏｔｏｃｏｌ，ＰＤＰ）の現在の接続状態を検出する。ＰＤＰ接続が現在確立されていない場合は、ＧＰＳ装置のＧＰＳプロトコルスタックは、ネットワーク接続を確立するよう、ＧＰＳ装置内の接続マネージャを使用することでダイアルアップ接続し、それにより、Ａ−ＧＰＳ機能が実施される。
【００５６】
ＰＤＰ接続が確立された後、ＧＰＳ装置のＧＰＳプロトコルスタックは、ＧＰＳ装置内の接続マネージャを使用することでネットワーク側から支援ポジショニング情報を取得し、それにより、ＧＰＳ装置は、ＧＰＳ機能及びＡ−ＧＰＳ機能を使用することでポジショニング情報を取得する。支援ポジショニング情報は、次の情報：ユーザ機器の現在のＩＰアドレス、ユーザ機器が位置付けられているセルに関する情報、及び現在ユーザ機器にサービスを提供している基地局に関する情報を含んでよい。
【００５７】
ＧＰＳ装置がＧＰＳ機能及びＡ−ＧＰＳ機能を使用することでポジショニング情報を取得するところの特定のプロセスは、ＧＰＳ装置内の接続マネージャを使用することでネットワーク側から支援ポジショニング情報を取得した後、ＧＰＳ装置内のＧＰＳプロトコルスタックが支援ポジショニング情報に従って衛星ポジショニング情報を取得することであり、特に、衛星信号が弱いか、又は衛星信号が障害物によってブロックされる場合に、ＧＰＳプロトコルスタックは、支援ポジショニング情報に従って衛星ポジショニング情報を取得することができ、それにより衛星ポジショニング情報の即時性及び正確性を確かにする。衛星ポジショニング情報は、ＧＰＳ機能及びＡ−ＧＰＳ機能を使用することで取得されるポジショニング情報である。
【００５８】
他の具体的な例において、ユーザ機器はＷｉｎｄｏｗｓ８システムを実行し、Ｗｉｎｄｏｗｓ８システムはモバイルブロードバンドインターフェースモデル（Ｍｏｂｉｌｅ  Ｂｒｏａｄ  Ｂａｎｄ  Ｉｎｔｅｒｆａｃｅ  Ｍｏｄｅｌ，ＭＢＩＭ）インターフェースを含み、そして、ユーザ機器は、Ａ−ＧＰＳ機能を備えたＧＰＳ装置へ接続されている。
【００５９】
ユーザ機器は、ＧＰＳ装置がＧＰＳ機能を有効にするかどうかを検出し、そして、ユーザ機器が、検出後に、ＧＰＳ装置がＧＰＳ機能を有効にすると決定する場合は、ＧＰＳ装置はＡ−ＧＰＳ機能を備えるので、より正確なポジショニング情報を取得するよう、ＧＰＳ装置がＧＰＳ機能を有効にすると決定した後、ユーザ機器は、ＧＰＳ装置にＡ−ＧＰＳ機能を有効にするよう指示するために、Ａ−ＧＰＳ指示メッセージをＧＰＳ装置のＧＰＳプロトコルスタックへ送信する。
【００６０】
Ａ−ＧＰＳ指示メッセージを受信した後、ＧＰＳ装置のＧＰＳプロトコルスタックは最初に、パケットデータプロトコル（Ｐａｃｋｅｔ  Ｄａｔａ  Ｐｒｏｔｏｃｏｌ，ＰＤＰ）の現在の接続状態を検出する。ＰＤＰ接続が現在確立されていない場合は、ＧＰＳ装置のＧＰＳプロトコルスタックはユーザ機器に通知し、そして、ＧＰＳプロトコルスタックによって送信された通知を受信した後に、ユーザ機器は、ネットワーク接続を確立するよう、ＭＢＩＭインターフェースを通じてダイアルアップ接続し、それにより、ＧＰＳ装置はＡ−ＧＰＳ機能を実施する。
【００６１】
ＰＤＰ接続が確立された後、ユーザ機器は、ネットワーク側から支援ポジショニング情報を取得し、支援ポジショニング情報は、次の情報：ユーザ機器の現在のＩＰアドレス、ユーザ機器が位置付けられているセルに関する情報、及び現在ユーザ機器にサービスを提供している基地局に関する情報を含んでよい。次いで、ユーザ機器は、支援ポジショニング情報をＧＰＳ装置へ送信し、それにより、ＧＰＳ装置は、ＧＰＳ機能及びＡ−ＧＰＳ機能を使用することでポジショニング情報を取得する。
【００６２】
ＧＰＳ装置がＧＰＳ機能及びＡ−ＧＰＳ機能を使用することでポジショニング情報を取得するところの特定のプロセスは、ユーザ機器によって送信された支援ポジショニング情報を取得した後、ＧＰＳ装置のＧＰＳプロトコルスタックが支援ポジショニング情報に従って衛星ポジショニング情報を取得することであり、特に、衛星信号が弱いか、又は衛星信号が障害物によってブロックされる場合に、ＧＰＳプロトコルスタックは、支援ポジショニング情報に従って衛星ポジショニング情報を取得することができ、それにより衛星ポジショニング情報の即時性及び正確性を確かにする。衛星ポジショニング情報は、ＧＰＳ機能及びＡ−ＧＰＳ機能を使用することで取得されるポジショニング情報である。
【００６３】
本発明の実施形態３において提供されるユーザ機器は、一例として図３を用いることで以下で詳細に記載される。図３は、本発明の実施形態３に従うユーザ機器の概略構造図である。ユーザ機器はＷｉｎｄｏｗｓ８システムを実行し、そして、ユーザ機器は、Ａ−ＧＰＳ機能を備えたＧＰＳ装置へ接続されている。ユーザ機器は、本発明の実施形態１において提供される支援型位置決定方法を実施するよう構成される。
【００６４】
図３に示されるように、ユーザ機器は、検出ユニット３１０、送信ユニット３２０、及び受信ユニット３３０を有する。
【００６５】
検出ユニット３１０は、ＧＰＳ装置がＧＰＳ機能を有効にすることを検出するよう構成される。
【００６６】
検出ユニット３１０は、ＧＰＳ装置がＧＰＳ機能を有効にするかどうかを検出し、そして、検出ユニット３１０が、検出後に、ＧＰＳ装置がＧＰＳ機能を有効にすると決定する場合は、送信ユニット３２０は、Ａ−ＧＰＳ指示メッセージをＧＰＳ装置へ送信する。このとき、Ａ−ＧＰＳ指示メッセージは、ＧＰＳ装置にＡ−ＧＰＳ機能を有効にするよう指示するために使用される。
【００６７】
ＧＰＳ装置はＡ−ＧＰＳ機能を備えるので、より正確なポジショニング情報を取得するよう、ＧＰＳ装置がＧＰＳ機能を有効にすると検出ユニット３１０が決定した後、送信ユニット３２０は、ＧＰＳ装置にＡ−ＧＰＳ機能を有効にするよう指示するために、Ａ−ＧＰＳ指示メッセージをＧＰＳ装置へ送信する。
【００６８】
任意に、図４に示されるように、ユーザ機器は構築ユニット４４０を更に有し、構築ユニット４４０は、送信ユニット３２０がＡ−ＧＰＳ指示メッセージをＧＰＳ装置へ送信した後に、ネットワーク接続を確立するようＧＰＳ装置の通知に従ってダイアルアップ接続するよう構成される。このとき、ネットワーク接続は、Ａ−ＧＰＳ機能を実施するためにＧＰＳ装置によって使用される。
【００６９】
受信ユニット３３０は、ポジショニング情報をＧＰＳ装置から受信するよう構成され、このとき、ポジショニング情報は、ＧＰＳ機能及びＡ−ＧＰＳ機能を使用することでＧＰＳ装置によって取得される。
【００７０】
任意に、送信ユニット３２０は更に、Ａ−ＧＰＳ機能を実施するためにＧＰＳ装置によって使用されるＡ−ＧＰＳ設定パラメータ情報をＧＰＳ装置へ送信するよう構成される。
【００７１】
Ａ−ＧＰＳ設定パラメータ情報は、次の情報：ユーザ機器の現在のＩＰアドレス、ユーザ機器が位置付けられているセルに関する情報、及び現在ユーザ機器にサービスを提供している基地局に関する情報を含んでよい。
【００７２】
本発明の実施形態３において提供されるユーザ機器に従って、ＧＰＳ装置がＧＰＳ機能を有効にする場合に、ユーザ機器は積極的にＡ−ＧＰＳ指示メッセージをＧＰＳ装置へ送信して、ＧＰＳ装置がＧＰＳ機能及びＡ−ＧＰＳ機能を同時に使用するようにし、それにより位置決定精度を改善する。
【００７３】
本発明の実施形態４において提供されるＧＰＳ装置は、一例として図５を用いることで以下で詳細に記載される。図５は、本発明の実施形態４に従うＧＰＳ装置の概略構造図である。ＧＰＳ装置はＡ−ＧＰＳ機能を備え、ＧＰＳ装置は、Ｗｉｎｄｏｗｓ８システムを実行するユーザ機器へ接続され、そして、ＧＰＳ装置は、本発明の実施形態２において提供される支援型位置決定方法を実施するよう構成される。
【００７４】
図５に示されるように、ＧＰＳ装置は、第１の許可ユニット４１０、第１の取得ユニット４２０、第２の許可ユニット４３０、第２の取得ユニット４４０、及び送信ユニット４５０を有する。
【００７５】
第１の許可ユニット４１０は、ＧＰＳ機能を有効にするよう構成される。
【００７６】
第１の取得ユニット４２０は、Ａ−ＧＰＳ指示メッセージをユーザ機器から取得するよう構成される。
【００７７】
第１の許可ユニット４１０がＧＰＳ機能を有効にした後、ユーザ機器は、ＧＰＳ装置がＧＰＳ機能を有効にしたことを検出を通じて見つけてよい。ＧＰＳ装置はＡ−ＧＰＳ機能を備えるので、より正確なポジショニング情報を取得するよう、ＧＰＳ装置がＧＰＳ機能を有効にすると決定した後、ユーザ機器は、ＧＰＳ装置にＡ−ＧＰＳ機能を有効にするよう指示するために、Ａ−ＧＰＳ指示メッセージをＧＰＳ装置へ送信する。
【００７８】
第２の許可ユニット４３０は、Ａ−ＧＰＳ指示メッセージに従ってＡ−ＧＰＳ機能を有効にするよう構成される。
【００７９】
Ａ−ＧＰＳ機能は、ネットワーク接続が確立される場合にのみ有効にされ得るので、図６に示されるように、ＧＰＳ装置は、構築ユニット４６０を更に有する。構築ユニット４６０は、ＧＰＳ装置がＡ−ＧＰＳ機能を有効にする前に、現在のネットワーク接続状態を決定し、ＧＰＳ装置がネットワークへ接続されていない場合は、Ａ−ＧＰＳ機能を実施するためにＧＰＳ装置によって使用されるネットワーク接続を確立するようダイアルアップ接続するよう構成される。
【００８０】
代替的に、図７に示されるように、ＧＰＳ装置は、指示ユニット４７０を更に有する。指示ユニット４７０は、ＧＰＳ装置がＡ−ＧＰＳ機能を有効にする前に、現在のネットワーク接続状態をＧＰＳ装置によって決定し、ＧＰＳ装置がネットワークへ接続されていない場合は、Ａ−ＧＰＳ機能を実施するためにＧＰＳ装置によって使用されるネットワーク接続を確立するよう、ユーザ機器にダイアルアップ接続するように指示するよう構成される。
【００８１】
第２の取得ユニット４４０は、ＧＰＳ機能及びＡ−ＧＰＳ機能を使用することでポジショニング情報を取得するよう構成される。
【００８２】
任意に、図８に示されるように、ＧＰＳ装置は、受信ユニット４８０を更に有する。受信ユニット４８０は、Ａ−ＧＰＳ機能を実施するためにＧＰＳ装置によって使用される、ユーザ機器によって送信されたＡ−ＧＰＳ設定パラメータ情報を受信するよう構成される。
【００８３】
Ａ−ＧＰＳ設定パラメータ情報は、次の情報：ユーザ機器の現在のＩＰアドレス、ユーザ機器が位置付けられているセルに関する情報、及び現在ユーザ機器にサービスを提供している基地局に関する情報を含んでよい。
【００８４】
送信ユニット４５０は、ポジショニング情報をユーザ機器へ送信するよう構成される。
【００８５】
ポジショニング情報を受信した後、ユーザ機器は、正確なポジショニング情報をユーザに提供するよう、ユーザインターフェースにおいてポジショニング情報を表示する。
【００８６】
本発明の実施形態４において提供されるＧＰＳ装置に従って、ＧＰＳ装置がＧＰＳ機能を有効にする場合に、Ｗｉｎｄｏｗｓ８システムを実行するユーザ機器によって積極的に送信されたＡ−ＧＰＳ指示メッセージを受信することで、ＧＰＳ装置は、ＧＰＳ機能を有効にするときにＧＰＳ機能及びＡ−ＧＰＳ機能を同時に使用することができ、それにより位置決定精度を改善する。
【００８７】
当業者であれば、本明細書で開示されている実施形態において記載される例と組み合わせて、ユニット及びアルゴリズムステップが電子ハードウェア、コンピュータソフトウェア、又はそれらの組み合わせによって実施されてよいと更に承知しているであろう。ハードウェアとソフトウェアとの間の互換性を明確に記載するよう、上記は、概して、機能に従う夫々の例の構成及びステップを記載してきた。機能がハードウェア又はソフトウェアによって実行されるかどうかは、技術的解決法の特定の用途及び設計制約要件に依存する。当業者は、夫々の特定の用途について、記載される機能を実施するために異なる方法を使用することがあるが、実施は、本発明の適用範囲を超えると考えられるべきではない。
【００８８】
本明細書で開示される実施形態において記載される方法又はアルゴリズムのステップは、ハードウェア、プロセッサによって実行されるソフトウェアモジュール、又はそれらの組み合わせによって実施されてよい。ソフトウェアモジュールは、ランダムアクセスメモリ（ＲＡＭ）、メモリ、読み出し専用メモリ（ＲＯＭ）、電子的プログラム可能ＲＯＭ、電子的消去可能なプログラム可能ＲＯＭ、レジスタ、ハードディスク、リムーバブルディスク、ＣＤ−ＲＯＭ、又は当該技術で知られている何らかの他の形態の記憶媒体に属してよい。
【００８９】
上記の具体的な実施様態において、本発明の目的、技術的解決法、及び利点は、更に詳細に記載される。上記の説明は、本発明の具体的な実施様態に過ぎず、本発明の保護範囲を制限するよう意図されないことが理解されるべきである。本発明の精神及び原理から逸脱することなしに為される如何なる変更、等価的な置換、又は改善も、本発明の保護範囲内にあるべきである。
【図１】
2016502673.tif 000003
【図２】
2016502673.tif 000004
【図３】
2016502673.tif 000005
【図４】
2016502673.tif 000006
【図５】
2016502673.tif 000007
【図６】
2016502673.tif 000008
【図７】
2016502673.tif 000009
【図８】
2016502673.tif 000010
【手続補正書】
【提出日】平成27年1月13日(2015.1.13)
【手続補正１】
【補正対象書類名】特許請求の範囲
【補正対象項目名】全文
【補正方法】変更
【補正の内容】
【特許請求の範囲】
【請求項１】
Ａ−ＧＰＳ機能を備えたＧＰＳ装置へ接続されているユーザ機器がＷｉｎｄｏｗｓ（登録商標）８システムを実行する支援型位置決定方法であって、
当該支援型位置決定方法は、
前記ＧＰＳ装置がＧＰＳ機能を有効にすることを前記ユーザ機器によって検出するステップと、
前記ＧＰＳ装置に前記Ａ−ＧＰＳ機能を有効にするよう指示するために使用されるＡ−ＧＰＳ指示メッセージを前記ＧＰＳ装置へ前記ユーザ機器によって送信するステップと、
前記ＧＰＳ機能及び前記Ａ−ＧＰＳ機能を使用することで前記ＧＰＳ装置によって取得されるポジショニング情報を前記ＧＰＳ装置から前記ユーザ機器によって受信するステップと
を有する、支援型位置決定方法。
【請求項２】
当該支援型位置決定方法は、
前記Ａ−ＧＰＳ指示メッセージを前記ＧＰＳ装置へ前記ユーザ機器によって送信するステップの後、前記Ａ−ＧＰＳ機能を実施するために前記ＧＰＳ装置によって使用されるネットワーク接続を確立するよう、前記ＧＰＳ装置の通知に従って前記ユーザ機器によってダイアルアップ接続するステップ
を更に有する、請求項１に記載の支援型位置決定方法。
【請求項３】
当該支援型位置決定方法は、
前記Ａ−ＧＰＳ機能を実施するために前記ＧＰＳ装置によって使用されるＡ−ＧＰＳ設定パラメータ情報を前記ＧＰＳ装置へ前記ユーザ機器によって送信するステップ
を更に有する、請求項１又は２に記載の支援型位置決定方法。
【請求項４】
Ｗｉｎｄｏｗｓ（登録商標）８システムを実行するユーザ機器へ接続されているＧＰＳ装置がＡ−ＧＰＳ機能を備える支援型位置決定方法であって、
当該支援型位置決定方法は、
ＧＰＳ機能を前記ＧＰＳ装置によって有効にするステップと、
Ａ−ＧＰＳ指示メッセージを前記ユーザ機器から前記ＧＰＳ装置によって取得するステップと、
前記Ａ−ＧＰＳ指示メッセージに従って前記Ａ−ＧＰＳ機能を前記ＧＰＳ装置によって有効にするステップと、
前記ＧＰＳ機能及び前記Ａ−ＧＰＳ機能を使用することでポジショニング情報を前記ＧＰＳ装置によって取得するステップと、
前記ポジショニング情報を前記ユーザ機器へ前記ＧＰＳ装置によって送信するステップと
を有する、支援型位置決定方法。
【請求項５】
前記Ａ−ＧＰＳ機能を前記ＧＰＳ装置によって有効にするステップの前に、当該支援型位置決定方法は、
現在のネットワーク接続状態を前記ＧＰＳ装置によって決定し、該ＧＰＳ装置がネットワークへ接続されていない場合は、前記Ａ−ＧＰＳ機能を実施するために前記ＧＰＳ装置によって使用されるネットワーク接続を確立するよう、前記ＧＰＳ装置によってダイアルアップ接続するステップ
を更に有する、請求項４に記載の支援型位置決定方法。
【請求項６】
前記Ａ−ＧＰＳ機能を前記ＧＰＳ装置によって有効にするステップの前に、当該支援型位置決定方法は、
現在のネットワーク接続状態を前記ＧＰＳ装置によって決定し、該ＧＰＳ装置がネットワークへ接続されていない場合は、前記Ａ−ＧＰＳ機能を実施するために前記ＧＰＳ装置によって使用されるネットワーク接続を確立するよう、前記ＧＰＳ装置によって、前記ユーザ機器にダイアルアップ接続するように指示するステップ
を更に有する、請求項４に記載の支援型位置決定方法。
【請求項７】
当該支援型位置決定方法は、
前記Ａ−ＧＰＳ機能を実施するために前記ＧＰＳ装置によって使用される、前記ユーザ機器によって送信されたＡ−ＧＰＳ設定パラメータ情報を受信するステップ
を更に有する、請求項４乃至６のうちいずれか一項に記載の支援型位置決定方法。
【請求項８】
Ａ−ＧＰＳ機能を備えたＧＰＳ装置へ接続され、Ｗｉｎｄｏｗｓ（登録商標）８システムを実行するユーザ機器であって、
当該ユーザ機器は、
前記ＧＰＳ装置がＧＰＳ機能を有効にすることを検出するよう構成される検出ユニットと、
前記ＧＰＳ装置に前記Ａ−ＧＰＳ機能を有効にするよう指示するために使用されるＡ−ＧＰＳ指示メッセージを前記ＧＰＳ装置へ送信するよう構成される送信ユニットと、
前記ＧＰＳ機能及び前記Ａ−ＧＰＳ機能を使用することで前記ＧＰＳ装置によって取得されるポジショニング情報を前記ＧＰＳ装置から受信するよう構成される受信ユニットと
を有するユーザ機器。
【請求項９】
当該ユーザ機器は、
当該ユーザ機器が前記Ａ−ＧＰＳ指示メッセージを前記ＧＰＳ装置へ送信した後に、前記Ａ−ＧＰＳ機能を実施するために前記ＧＰＳ装置によって使用されるネットワーク接続を確立するよう、前記ＧＰＳ装置の通知に従ってダイアルアップ接続するよう構成される構築ユニット
を更に有する、請求項８に記載のユーザ機器。
【請求項１０】
前記送信ユニットは更に、前記Ａ−ＧＰＳ機能を実施するために前記ＧＰＳ装置によって使用されるＡ−ＧＰＳ設定パラメータ情報を前記ＧＰＳ装置へ送信するよう構成される、
請求項８又は９に記載のユーザ機器。
【請求項１１】
Ｗｉｎｄｏｗｓ（登録商標）８システムを実行するユーザ機器へ接続され、Ａ−ＧＰＳ機能を備えるＧＰＳ装置であって、
当該ＧＰＳ装置は、
ＧＰＳ機能を有効にするよう構成される第１の許可ユニットと、
Ａ−ＧＰＳ指示メッセージを前記ユーザ機器から取得するよう構成される第１の取得ユニットと、
前記Ａ−ＧＰＳ指示メッセージに従って前記Ａ−ＧＰＳ機能を有効にするよう構成される第２の許可ユニットと、
前記ＧＰＳ機能及び前記Ａ−ＧＰＳ機能を使用することでポジショニング情報を取得するよう構成される第２の取得ユニットと、
前記ポジショニング情報を前記ユーザ機器へ送信するよう構成される送信ユニットと
を有する、ＧＰＳ装置。
【請求項１２】
当該ＧＰＳ装置は、
前記Ａ−ＧＰＳ機能が有効にされる前に、現在のネットワーク接続状態を決定し、当該ＧＰＳ装置がネットワークへ接続されていない場合は、前記Ａ−ＧＰＳ機能を実施するために当該ＧＰＳ装置によって使用されるネットワーク接続を確立するようにダイアルアップ接続するよう構成される構築ユニット
を更に有する、請求項１１に記載のＧＰＳ装置。
【請求項１３】
当該ＧＰＳ装置は、
当該ＧＰＳ装置が前記Ａ−ＧＰＳ機能を有効にする前に、現在のネットワーク接続状態を決定し、当該ＧＰＳ装置がネットワークへ接続されていない場合は、前記Ａ−ＧＰＳ機能を実施するために当該ＧＰＳ装置によって使用されるネットワーク接続を確立するよう、前記ユーザ機器にダイアルアップ接続するように指示するよう構成される指示ユニット
を更に有する、請求項１１に記載のＧＰＳ装置。
【請求項１４】
当該ＧＰＳ装置は、
前記Ａ−ＧＰＳ機能を実施するために当該ＧＰＳ装置によって使用される、前記ユーザ機器によって送信されたＡ−ＧＰＳ設定パラメータ情報を受信するよう構成される受信ユニット
を更に有する、請求項１１乃至１３のうちいずれか一項に記載のＧＰＳ装置。
【手続補正３】
【補正対象書類名】明細書
【補正対象項目名】０００２
【補正方法】変更
【補正の内容】
【０００２】
現在、支援型グローバルポジショニングシステム（Ａｓｓｉｓｔｅｄ  Ｇｌｏｂａｌ  Ｐｏｓｉｔｉｏｎｉｎｇ  Ｓｙｓｔｅｍ，Ａ−ＧＰＳ）は幅広く使用されている。しかしながら、ユーザ機器におけるＷｉｎｄｏｗｓ（登録商標）８システムの適用に伴い、Ａ−ＧＰＳの適用はある程度制限される。
【手続補正４】
【補正対象書類名】明細書
【補正対象項目名】０００３
【補正方法】変更
【補正の内容】
【０００３】
ユーザ機器は、ＧＰＳ装置に、ユーザがＡ−ＧＰＳ機能を有効にするよう手動により選択した後にのみＷｉｎｄｏｗｓ（登録商標）８システムにおいてＡ−ＧＰＳ機能を有効にするよう指示することができる。さもなければ、ＧＰＳ装置は、グローバルポジショニングシステム（Ｇｌｏｂａｌ  Ｐｏｓｉｔｉｏｎｉｎｇ  Ｓｙｓｔｅｍ，ＧＰＳ）機能しか有効にすることができず、Ａ−ＧＰＳ機能を有効にすることができず、それにより位置決定精度は低下する。
【手続補正５】
【補正対象書類名】明細書
【補正対象項目名】０００５
【補正方法】変更
【補正の内容】
【０００５】
第１の態様に従って、本発明の実施形態は、Ａ−ＧＰＳ機能を備えたＧＰＳ装置へ接続されているユーザ機器がＷｉｎｄｏｗｓ（登録商標）８システムを実行する支援型位置決定方法であって、
当該支援型位置決定方法は、
前記ＧＰＳ装置がＧＰＳ機能を有効にすることを前記ユーザ機器によって検出するステップと、
前記ＧＰＳ装置に前記Ａ−ＧＰＳ機能を有効にするよう指示するために使用されるＡ−ＧＰＳ指示メッセージを前記ＧＰＳ装置へ前記ユーザ機器によって送信するステップと、
前記ＧＰＳ機能及び前記Ａ−ＧＰＳ機能を使用することで前記ＧＰＳ装置によって取得されるポジショニング情報を前記ＧＰＳ装置から前記ユーザ機器によって受信するステップと
を有する、支援型位置決定方法を提供する。
【手続補正６】
【補正対象書類名】明細書
【補正対象項目名】０００６
【補正方法】変更
【補正の内容】
【０００６】
第１の態様の第１のとり得る実施様態において、当該支援型位置決定方法は、
前記Ａ−ＧＰＳ指示メッセージを前記ＧＰＳ装置へ前記ユーザ機器によって送信するステップの後、前記Ａ−ＧＰＳ機能を実施するために前記ＧＰＳ装置によって使用されるネットワーク接続を確立するよう、前記ＧＰＳ装置の通知に従って前記ユーザ機器によってダイアルアップ接続するステップ
を更に有する。
【手続補正７】
【補正対象書類名】明細書
【補正対象項目名】０００７
【補正方法】変更
【補正の内容】
【０００７】
第１の態様、又は第１の態様の第１のとり得る実施様態を参照して、第２のとり得る実施様態において、当該支援型位置決定方法は、
前記Ａ−ＧＰＳ機能を実施するために前記ＧＰＳ装置によって使用されるＡ−ＧＰＳ設定パラメータ情報を前記ＧＰＳ装置へ前記ユーザ機器によって送信するステップ
を更に有する。
【手続補正８】
【補正対象書類名】明細書
【補正対象項目名】０００８
【補正方法】変更
【補正の内容】
【０００８】
第２の態様に従って、本発明の実施形態は、Ｗｉｎｄｏｗｓ（登録商標）８システムを実行するユーザ機器へ接続されているＧＰＳ装置がＡ−ＧＰＳ機能を備える支援型位置決定方法であって、
当該支援型位置決定方法は、
ＧＰＳ機能を前記ＧＰＳ装置によって有効にするステップと、
Ａ−ＧＰＳ指示メッセージを前記ユーザ機器から前記ＧＰＳ装置によって取得するステップと、
前記Ａ−ＧＰＳ指示メッセージに従って前記Ａ−ＧＰＳ機能を前記ＧＰＳ装置によって有効にするステップと、
前記ＧＰＳ機能及び前記Ａ−ＧＰＳ機能を使用することでポジショニング情報を前記ＧＰＳ装置によって取得するステップと、
前記ポジショニング情報を前記ユーザ機器へ前記ＧＰＳ装置によって送信するステップと
を有する、支援型位置決定方法を提供する。
【手続補正９】
【補正対象書類名】明細書
【補正対象項目名】０００９
【補正方法】変更
【補正の内容】
【０００９】
第２の態様の第１のとり得る実施様態において、前記Ａ−ＧＰＳ機能を前記ＧＰＳ装置によって有効にするステップの前に、当該支援型位置決定方法は、現在のネットワーク接続状態を前記ＧＰＳ装置によって決定し、該ＧＰＳ装置がネットワークへ接続されていない場合は、前記Ａ−ＧＰＳ機能を実施するために前記ＧＰＳ装置によって使用されるネットワーク接続を確立するよう、前記ＧＰＳ装置によってダイアルアップ接続するステップ
を更に有する。
【手続補正１０】
【補正対象書類名】明細書
【補正対象項目名】００１０
【補正方法】変更
【補正の内容】
【００１０】
第２の態様の第２のとり得る実施様態において、前記Ａ−ＧＰＳ機能を前記ＧＰＳ装置によって有効にするステップの前に、当該支援型位置決定方法は、現在のネットワーク接続状態を前記ＧＰＳ装置によって決定し、該ＧＰＳ装置がネットワークへ接続されていない場合は、前記Ａ−ＧＰＳ機能を実施するために前記ＧＰＳ装置によって使用されるネットワーク接続を確立するよう、前記ＧＰＳ装置によって、前記ユーザ機器にダイアルアップ接続するように指示するステップ
を更に有する。
【手続補正１１】
【補正対象書類名】明細書
【補正対象項目名】００１１
【補正方法】変更
【補正の内容】
【００１１】
第２の態様、第２の態様の第１のとり得る実施様態、又は第２の態様の第２のとり得る実施様態を参照して、第３のとり得る実施様態において、当該支援型位置決定方法は、
前記Ａ−ＧＰＳ機能を実施するために前記ＧＰＳ装置によって使用される、前記ユーザ機器によって送信されたＡ−ＧＰＳ設定パラメータ情報を受信するステップ
を更に有する。
【手続補正１２】
【補正対象書類名】明細書
【補正対象項目名】００１２
【補正方法】変更
【補正の内容】
【００１２】
第３の態様に従って、本発明の実施形態は、Ａ−ＧＰＳ機能を備えたＧＰＳ装置へ接続され、Ｗｉｎｄｏｗｓ（登録商標）８システムを実行するユーザ機器であって、
当該ユーザ機器は、
前記ＧＰＳ装置がＧＰＳ機能を有効にすることを検出するよう構成される検出ユニットと、
前記ＧＰＳ装置に前記Ａ−ＧＰＳ機能を有効にするよう指示するために使用されるＡ−ＧＰＳ指示メッセージを前記ＧＰＳ装置へ送信するよう構成される送信ユニットと、
前記ＧＰＳ機能及び前記Ａ−ＧＰＳ機能を使用することで前記ＧＰＳ装置によって取得されるポジショニング情報を前記ＧＰＳ装置から受信するよう構成される受信ユニットと
を有するユーザ機器を提供する。
【手続補正１３】
【補正対象書類名】明細書
【補正対象項目名】００１５
【補正方法】変更
【補正の内容】
【００１５】
第４の態様に従って、本発明の実施形態は、Ｗｉｎｄｏｗｓ（登録商標）８システムを実行するユーザ機器へ接続され、Ａ−ＧＰＳ機能を備えるＧＰＳ装置であって、
当該ＧＰＳ装置は、
ＧＰＳ機能を有効にするよう構成される第１の許可ユニットと、
Ａ−ＧＰＳ指示メッセージを前記ユーザ機器から取得するよう構成される第１の取得ユニットと、
前記Ａ−ＧＰＳ指示メッセージに従って前記Ａ−ＧＰＳ機能を有効にするよう構成される第２の許可ユニットと、
前記ＧＰＳ機能及び前記Ａ−ＧＰＳ機能を使用することでポジショニング情報を取得するよう構成される第２の取得ユニットと、
前記ポジショニング情報を前記ユーザ機器へ送信するよう構成される送信ユニットと
を有する、ＧＰＳ装置を提供する。
【手続補正１４】
【補正対象書類名】明細書
【補正対象項目名】００１９
【補正方法】変更
【補正の内容】
【００１９】
前述の解決法に従って、ＧＰＳ装置がＧＰＳ機能を有効にする場合に、Ｗｉｎｄｏｗｓ（登録商標）８システムを実行するユーザ機器は積極的にＡ−ＧＰＳ指示メッセージをＧＰＳ装置へ送信して、ＧＰＳ装置がＧＰＳ機能及びＡ−ＧＰＳ機能を同時に使用するようにし、それにより位置決定精度を改善する。
【手続補正１５】
【補正対象書類名】明細書
【補正対象項目名】００２９
【補正方法】変更
【補正の内容】
【００２９】
本発明の実施形態１おいて提供される支援型位置決定方法は、一例として図１を用いることで以下で詳細に記載される。図１は、本発明の実施形態１に従う支援型位置決定方法の概略フローチャートである。支援型位置決定方法はユーザ機器によって実行され、ユーザ機器はＷｉｎｄｏｗｓ（登録商標）８システムを実行し、そして、ユーザ機器は、Ａ−ＧＰＳ機能を備えたＧＰＳ装置へ接続されている。
【手続補正１６】
【補正対象書類名】明細書
【補正対象項目名】００３８
【補正方法】変更
【補正の内容】
【００３８】
Ａ−ＧＰＳ設定パラメータ情報は、次の情報：ユーザ機器の現在のインターネットプロトコル（Ｉｎｔｅｒｎｅｔ  Ｐｒｏｔｏｃｏｌ，ＩＰ）アドレス、ユーザ機器が位置付けられているセルに関する情報、及び現在ユーザ機器にサービスを提供している基地局に関する情報を含んでよい。
【手続補正１７】
【補正対象書類名】明細書
【補正対象項目名】００３９
【補正方法】変更
【補正の内容】
【００３９】
本発明の実施形態１において提供される支援型位置決定方法に従って、ＧＰＳ装置がＧＰＳ機能を有効にする場合に、Ｗｉｎｄｏｗｓ（登録商標）８システムを実行するユーザ機器は積極的にＡ−ＧＰＳ指示メッセージをＧＰＳ装置へ送信して、ＧＰＳ装置がＧＰＳ機能及びＡ−ＧＰＳ機能を同時に使用するようにし、それにより位置決定精度を改善する。
【手続補正１８】
【補正対象書類名】明細書
【補正対象項目名】００４０
【補正方法】変更
【補正の内容】
【００４０】
本発明の実施形態２において提供される支援型位置決定方法は、一例として図２を用いることで以下で詳細に記載される。図２は、本発明の実施形態２に従う支援型位置決定方法の概略フローチャートである。支援型位置決定方法は、Ａ−ＧＰＳ機能を備えたＧＰＳ装置によって実行され、そして、Ｗｉｎｄｏｗｓ（登録商標）８システムを実行するユーザ機器が、Ａ−ＧＰＳ機能を備えたＧＰＳ装置へ接続されている。
【手続補正１９】
【補正対象書類名】明細書
【補正対象項目名】００５２
【補正方法】変更
【補正の内容】
【００５２】
本発明の実施形態２において提供される支援型位置決定方法に従って、ＧＰＳ装置がＧＰＳ機能を有効にする場合に、Ｗｉｎｄｏｗｓ（登録商標）８システムを実行するユーザ機器によって積極的に送信されたＡ−ＧＰＳ指示メッセージを受信することで、ＧＰＳ装置は、ＧＰＳ機能を有効にするときにＧＰＳ機能及びＡ−ＧＰＳ機能を同時に使用することができ、それにより位置決定精度を改善する。
【手続補正２０】
【補正対象書類名】明細書
【補正対象項目名】００５３
【補正方法】変更
【補正の内容】
【００５３】
具体的な例において、ユーザ機器はＷｉｎｄｏｗｓ（登録商標）８システムを実行し、そして、ユーザ機器は、Ａ−ＧＰＳ機能を備えたＧＰＳ装置へ接続されている。
【手続補正２１】
【補正対象書類名】明細書
【補正対象項目名】００５８
【補正方法】変更
【補正の内容】
【００５８】
他の具体的な例において、ユーザ機器はＷｉｎｄｏｗｓ（登録商標）８システムを実行し、Ｗｉｎｄｏｗｓ（登録商標）８システムはモバイルブロードバンドインターフェースモデル（Ｍｏｂｉｌｅ  Ｂｒｏａｄｂａｎｄ  Ｉｎｔｅｒｆａｃｅ  Ｍｏｄｅｌ，ＭＢＩＭ）インターフェースを含み、そして、ユーザ機器は、Ａ−ＧＰＳ機能を備えたＧＰＳ装置へ接続されている。
【手続補正２２】
【補正対象書類名】明細書
【補正対象項目名】００６３
【補正方法】変更
【補正の内容】
【００６３】
本発明の実施形態３において提供されるユーザ機器は、一例として図３を用いることで以下で詳細に記載される。図３は、本発明の実施形態３に従うユーザ機器の概略構造図である。ユーザ機器はＷｉｎｄｏｗｓ（登録商標）８システムを実行し、そして、ユーザ機器は、Ａ−ＧＰＳ機能を備えたＧＰＳ装置へ接続されている。ユーザ機器は、本発明の実施形態１において提供される支援型位置決定方法を実施するよう構成される。
【手続補正２３】
【補正対象書類名】明細書
【補正対象項目名】００６８
【補正方法】変更
【補正の内容】
【００６８】
任意に、図４に示されるように、ユーザ機器は構築ユニット３４０を更に有し、構築ユニット３４０は、送信ユニット３２０がＡ−ＧＰＳ指示メッセージをＧＰＳ装置へ送信した後に、ネットワーク接続を確立するようＧＰＳ装置の通知に従ってダイアルアップ接続するよう構成される。このとき、ネットワーク接続は、Ａ−ＧＰＳ機能を実施するためにＧＰＳ装置によって使用される。
【手続補正２４】
【補正対象書類名】明細書
【補正対象項目名】００７３
【補正方法】変更
【補正の内容】
【００７３】
本発明の実施形態４において提供されるＧＰＳ装置は、一例として図５を用いることで以下で詳細に記載される。図５は、本発明の実施形態４に従うＧＰＳ装置の概略構造図である。ＧＰＳ装置はＡ−ＧＰＳ機能を備え、ＧＰＳ装置は、Ｗｉｎｄｏｗｓ（登録商標）８システムを実行するユーザ機器へ接続され、そして、ＧＰＳ装置は、本発明の実施形態２において提供される支援型位置決定方法を実施するよう構成される。
【手続補正２５】
【補正対象書類名】明細書
【補正対象項目名】００８６
【補正方法】変更
【補正の内容】
【００８６】
本発明の実施形態４において提供されるＧＰＳ装置に従って、ＧＰＳ装置がＧＰＳ機能を有効にする場合に、Ｗｉｎｄｏｗｓ（登録商標）８システムを実行するユーザ機器によって積極的に送信されたＡ−ＧＰＳ指示メッセージを受信することで、ＧＰＳ装置は、ＧＰＳ機能を有効にするときにＧＰＳ機能及びＡ−ＧＰＳ機能を同時に使用することができ、それにより位置決定精度を改善する。
【手続補正２６】
【補正対象書類名】明細書
【補正対象項目名】００８９
【補正方法】変更
【補正の内容】
【００８９】
上記の具体的な実施様態において、本発明の目的、技術的解決法、及び利点は、更に詳細に記載される。上記の説明は、本発明の具体的な実施様態に過ぎず、本発明の保護範囲を制限するよう意図されないことが理解されるべきである。本発明の原理から逸脱することなしに為される如何なる変更、等価的な置換、又は改善も、本発明の保護範囲内にあるべきである。
【手続補正２７】
【補正対象書類名】図面
【補正対象項目名】図７
【補正方法】変更
【補正の内容】
【図７】
2016502673.tif 000011
【国際調査報告】
2016502673.tif 000012
2016502673.tif 000013
2016502673.tif 000014
2016502673.tif 000015